Podtech/llm-jp-corpus-v4-ja_patent huggingface dataset:
(57)【要約】【課題】手前側と奥側がぴったり重なった袋は広げにくい。【解決手段】袋の手前側と奥側に穴を開け、その穴を親指と人差し指でつまんで横にずらすことにより手前側と奥側を引き離し、袋を広げやすくする。【選択図】図１
0003136022.tif 000002
【実用新案登録請求の範囲】
【請求項１】
手前側と奥側で一部分異なる形状を持つ袋
【請求項２】
手前側と奥側の表面の同一場所に穴を持つ袋
【請求項３】
請求項１に述べた袋において手前側と奥側の異なる位置でかつ穴が重なる位置に穴を持つ袋
【請求項４】
手前側と奥側に異なる形状の突起を持つ袋
【考案の詳細な説明】
【技術分野】
【０００１】本発明はビニール袋を広げるための形状に関するものである。
【背景技術】
【０００２】図２は従来のビニール袋（通称レジ袋）の一例である。１はビニール袋全体、２ａ、２ｂは袋を吊り下げるための部分である。３は手前側と奥側をつなぐための突起であり、袋に物が沢山入った状態でこの手前側と奥側の突起にテープを貼ると中身が袋の外に出ることを防ぐことができる。このような袋は保存されている状態では手前側と奥側が通常ぴったりと重なっており、手前側と奥側を引き離して袋を広げるのが困難である場合が多い。【０００３】図３は上記問題を多少解決した従来の例である。図３の１、２ａ、２ｂ、３は図２の対応するものとそれぞれ同一である。２ｃは奥側の袋の表面であり、この部分は手前側の表面よりわずかに広い。従って、手前側と奥側をぴったり合わせて袋を平にした場合に奥側が少しはみ出るようになっている。袋を広げる時はこのはみ出た２ｃを指でつまんで引く。しかし、この方式にも問題がある。それは奥側をつまんでも手前側だけをつまむ部分が存在しないことである。従ってやはり広げるのに困難を伴う。
【考案の開示】
【考案が解決しようとする課題】
【０００４】従来の袋は手前側と奥側がぴったり重なっているとそれぞれをつまんで引き離すことが困難であった。本発明はこのような袋を簡単に広げる方法を提供する。
【課題を解決するための手段】
【０００５】本発明は袋の手前側と奥側とが異なった形状を持つことにより簡単に広げることができるようにするものである。【０００６】第１図は本発明の第１の実施例である。図中の３は突起、４はその突起につけられた穴である。この穴は表側と奥側との両方に開けられており、この穴の手前と奥とを親指と人差し指によって挟み、横方向にずらす力を加えることによって簡単に袋を開けることができる。即ち、手前側を矢印５の方向へ、奥側をその反対方向へずらすことによって、手前側と奥側の突起をずらし、袋を広げることができる。穴３は重なっており、穴の手前と奥を親指と人差し指でつまむと親指と人差し指は接触し、滑らずに手前側の突起と奥側の突起にずらす力を与えることができる。尚、矢印は説明の便宜上、図中に描いたものであり、袋になんらの加工を施すためのものではない。【０００７】図４は本発明の第２の実施例である。この例は袋の中央の突起部分ではなく、端の部分に穴を開けたものである。この穴の両側を親指と人差し指とではさんで袋の手前側と奥側の表面を横にずらす力を与えて手前側と奥側を引き離す点は図１のものと同じである。穴の位置が異なるだけである。【０００８】図５は本発明の第３の実施例である。１、２ａ、２ｂ、３、４はそれぞれ図１の同一番号のものと対応する。５は奥側の表面に開けられた穴である。即ちこの方式では手前側と奥側の穴の位置がわずかに異なっている。こうすることによりこの突起は図１のものよりさらにずらしやすくなり、従って手前側と奥側を引き離しやすくなる。【０００９】これまでの説明では穴の形状を円として説明したが、楕円、正方形、三角形のような形状でもよい。さらに、スリット（細い長方形）即ち切り込みでもよい。【００１０】図６は本発明の第４の実施例である。図中の１、２ａ、２ｂは図１の１、２ａ、２ｂと対応する。６は図１の３の突起部分に対応し、７は６に対応する奥側の突起部分である。手前側の突起部分は６のように向かって左が上部に突き出ており、奥側の突起部分は７のように向かって右側が上部に突き出た形をしている。袋を広げるときは６と７の突き出た部分を右手と左手でつまんで広げることにより簡単に袋を広げることができる。【００１１】図７は本発明の第５の実施例である。図中の１、２ａ、２ｂは図１の１、２ａ、２ｂと対応する。８は手前側の手で持つ部分に付けられた突起、９は奥側の手で持つ部分に付けられた突起である。これらの突起を右手と左手でつまんで引くことにより袋を簡単に広げることができる。
【考案の効果】
【００１２】本発明を用いることにより手前側の表面と奥側の表面がぴったりと重なった袋を簡単に開けることができる。
【考案を実施するための最良の形態】
【００１３】本発明を実施するための最良の形態は図５に示すように、手前側と奥側の表面に少しだけずれた穴を持つような袋である。
【実施例】
【００１４】本発明の実施例は図１、図４、図５、図６および図７に示す。
【産業上の利用可能性】
【００１５】本発明はスーパーマーケットで買ったものを入れる袋、通常レジ袋を広げる方法として有効である。
【図面の簡単な説明】
【図１】本発明の第１の実施例である。
【図２】従来の袋の構造を説明する図である。
【図３】従来の袋の第２の例である。
【図４】本発明の第２の実施例である。
【図５】本発明の第３の実施例である。
【図６】本発明の第４の実施例である。
【図７】本発明の第５の実施例である。
【図１】
0003136022.tif 000003
【図２】
0003136022.tif 000004
【図３】
0003136022.tif 000005
【図４】
0003136022.tif 000006
【図５】
0003136022.tif 000007
【図６】
0003136022.tif 000008
【図７】
0003136022.tif 000009
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
手前側と奥側の表面の同一場所に人の指と同程度の大きさの穴を持つ袋
【請求項２】
請求項１に述べた袋において手前側と奥側の異なる位置でかつ穴が重なる位置に穴を持つ袋
【手続補正書】
【提出日】平成19年6月27日(2007.6.27)
【手続補正１】
【補正対象書類名】実用新案登録請求の範囲
【補正対象項目名】全文
【補正方法】変更
【補正の内容】
【実用新案登録請求の範囲】
【請求項１】
手前側と奥側の表面の異なる位置でかつ穴が重なる位置に人の指先と同程度の大きさの穴を持つ袋
【請求項２】
請求項１に述べた袋において袋の開口部の直下に穴を持つ袋
(57)【要約】      （修正有）【課題】カバーが簡単に左右に広がり、カバーを左右の真ん中で束ねることができ、次の使用時カバーの方向を分かりやすくする。【解決手段】車カバーの屋根部分にチューブに通したワイヤーを縫い込み、フロントまたはトランクの中心部分にやわらかいマジックテープを縫いつける。【選択図】図４
0003136027.tif 000002
【実用新案登録請求の範囲】
【請求項１】
車カバーの屋根部分にチューブに通したワイヤーを縫い込み、フロントまたはとランクの中心部分にやわらかいマジックテープを縫いつけた屋根部分で左右に広がる様にした車カバー。
【考案の詳細な説明】
【技術分野】
【０００１】車カバーの屋根部分にチューブに通したワイヤーを縫い込み、フロントまたはとランクの中心部分にやわらかいマジックテープを縫いつけた屋根部分で左右に広がる様にした車カバー。
【背景技術】
【０００２】従来、車のカバーは４隅を引っ張ることにより被せていた。外す時も４方に行き外さねばならなかった。
【考案の開示】
【考案が解決しようとする課題】
【０００３】▲１▼  カバーが簡単に左右に広がること。
▲２▼  カバーを左右の真ん中で束ねることができ、次の使用時カバーの方向が分かりやすい。
【考案が解決するための手段】
【０００４】本考案は、車カバーの屋根部分にチューブに通したワイヤーを縫い込み、フロントまたはとランクの中心部分にやわらかいマジックテープを縫いつけた。
【考案の効果】
【０００５】フロントまたはトランクの中心部に本考案をのせるとワイヤーのまっすぐなる力がカバーを左右に広げるため、一度の移動でカバーできる。
マジックテープで束ねることによりカバーの方向が分かる。
【考案を実施するための最良の形態】
【０００６】車カバーの屋根部分にチューブに通したワイヤーを縫い込み、フロントまたはとランクの中心部分にやわらかいマジックテープを縫いつける。
【実施例】
【０００７】フロントまたはとランクの中心部に本考案をのせるとワイヤーのまっすぐなる力がカバーを左右に広げるため、一度の移動でカバーできる。
マジックテープで真ん中を束ねる。
【産業上の利用の可能性】
【０００８】速くカバーの着脱が出来る。
【図面の簡単な説明】
【図１】車カバーの平面図
【図２】車カバーの前後中央の断面図
【図３】車カバー左右ワイヤー部の断面図
【図４】車カバーの裏面の平面図
【符号の説明】
１  防水布
２  チューブに通したワイヤー
３  マジックテープ
【図１】
0003136027.tif 000003
【図２】
0003136027.tif 000004
【図３】
0003136027.tif 000005
【図４】
0003136027.tif 000006
【手続補正書】
【提出日】平成19年6月25日(2007.6.25)
【手続補正１】
【補正対象書類名】実用新案登録請求の範囲
【補正対象項目名】全文
【補正方法】変更
【補正の内容】
【実用新案登録請求の範囲】
【請求項１】
車カバーの屋根部分にチューブに通したワイヤーを縫い込み、フロントまたはトランクの中心部分に紐を縫いつけた屋根部分で左右に広がる様にした車カバー。
【手続補正２】
【補正対象書類名】明細書
【補正対象項目名】全文
【補正方法】変更
【補正の内容】
【考案の詳細な説明】
【技術分野】
【０００１】車カバーの屋根部分にチューブに通したワイヤーを縫い込み、フロントまたはトランクの中心部分に紐を縫いつけた屋根部分で左右に広がる様にした車カバー。
【背景技術】
【０００２】従来、車のカバーは四隅を引っ張ることによりかぶせていた。外す時も四方に行き、車の周りを行ったり来たりして外さねばならなかった。
【考案の開示】
【考案が解決しようとする課題】
【０００３】▲１▼  カバーが簡単に左右に広がること。
▲２▼  カバーを左右の真ん中で束ねることができ、次の使用時カバーの方向が分かりやすい。
【考案が解決するための手段】
【０００４】本考案は、車カバーの屋根部分にチューブに通したワイヤーを縫い込み、フロントまたはトランクの中心部分に紐を縫いつけた。
【考案の効果】
【０００５】フロントまたはトランクの中心部に本考案をのせるとワイヤーのまっすぐなる力がカバーを左右に広げるため、一度の移動でカバーできる。
紐で束ねることによりカバーの方向が分かる。
【考案を実施するための最良の形態】
【０００６】  車カバーの屋根部分にチューブに通したワイヤーを縫い込み、フロントまたはトランクの中心部分に紐を縫いつける。
【実施例】
【０００７】フロントまたはトランクの中心部に本考案をのせるとワイヤーのまっすぐなる力がカバーを左右に広げるため、一度の移動でカバーの装着ができる。
紐で真ん中を束ねる。
【産業上の利用の可能性】
【０００８】速くカバーの着脱が出来る。
【図面の簡単な説明】
【図１】車カバーの平面図
【図２】車カバーの前後中央の断面図
【図３】東カバー左右ワイヤー部の断面図
【図４】車カバーの裏面の平面図
【符号の説明】
１  防水布
２  チューブに通したワイヤー
３  紐
(57)【要約】【課題】  印鑑の輪郭部が欠けやすいという問題と、安易な印影のため、偽造されやすいという問題を解決するとともに、押印時の上下が自己確認できるように、印影に個々の個性、特徴をもたせ、二つとない、自分だけのオリジナルブランドとなる印鑑を提供する。【解決手段】  印面に今までにない、特殊な形状を加える。総手彫りでないと実現できない特殊な形状のため、偽造防止につながる。輪郭部に輪郭を保護するように面を作る。繊細な輪郭部が強化され、欠けにくくなる。印影には、刀のような形状を書体のバランスをくずさず、一体化するように美しく取り入れる。刀部分の強化接点を個人が認識し、押印時の左右、上下の確認の目印になる。印影の美しさを損なうことなく、印影と一体化するため、芸術的な印影になり、刀状の強化接点は、各々で位置をかえるため、自分だけの、個性的なオリジナルブランド印鑑に仕上げることができる。【選択図】図１
0003136023.tif 000002
【実用新案登録請求の範囲】
【請求項１】
欠けやすい印鑑の繊細な輪郭部の強化、従来にない特殊な形状を取り入れることにより、偽造等のトラブル防止と、押印時の上下左右の確認が一点でできることを特徴とした、印影に関する強化接点。
【考案の詳細な説明】
【技術分野】
【０００１】本考案は、印鑑の輪郭に接点する点に今までにない特殊な形状を加え、印鑑の問題点を解決しようとする、印影に関するものである。
【背景技術】
【０００２】印鑑においては、値段はさまざまだが、高価な印材であっても、輪郭が繊細なため、欠けやすいという点、実用では、安易な形状で偽造されやすい点と上下の確認がわかりづらいという問題がある。
【考案の開示】
【考案が解決しようとする課題】
【０００３】吉相印鑑においては、廻りの輪郭に接する点を一画と捉える。その一点に従来にない太く、力強い特殊な形状を加えることによって、欠けにくく丈夫で、さらに見た目にも美しい印影に仕上げ、一部に刀状の特殊な面を書体と一体化して組み込み、自己認識の手段とし、前述の偽造防止と押印時の上下確認の問題をすべて解決しようとするものである。
【課題を解決するための手段】
【０００４】総手彫りにより印影全体のバランスを崩さず、輪郭にできる隙間をなるべくつめて、従来になかった強化接点を加えることにより、強度とオリジナリティーを上げて、さらに力強く、美しい印影を実現すると共に、特殊な形状をもって、問題点を解決している。
【考案の効果】
【０００５】上述のように、本考案の強化接点は、美しく個性的な印影を実現するだけではなく、輪郭の強度を上げることにより、ハンコ社会の日本において、使う人が、永く愛用することができ、二つとないオリジナルブランドとして、個人の印に対する意識を高め、刀状の特殊な形状が目印と、偽造防止にもなり、印鑑による事故防止にもつながる。
【考案を実施するための最良の形態】
【０００６】他者との形状の違いの特徴を出すため、総手彫りで、印面に絶妙なバランスで強化接点をつくる。同じ姓名でも、刀状の強化接点の位置を変え、同一のものが作れないようにする。従来にない形状で、見た目にわかりやすく、本人が印の確認のめやすとなるうえ、書体と一体化し、印影の品格を落とさないように工夫した。
【実施例】
【０００７】添付図面に従って一実施例を説明する。図１の１，２，３の特殊形状は、本考案の最も重要な部分である。書体の形態を損なわず、自然な形で面を作り、輪郭の欠けに強い構造にする。１のように、従来にない刀の形状を個人によって位置を設定し、他者との違いとし、この１を押印時の上下左右の目印とする。また、この１の形状は、手彫りでないと作れないため、偽造防止になる。
【図面の簡単な説明】
【０００８】
【図１】本考案の印影の正面図である。
【図２】本考案の印影の正面図である。
【図１】
0003136023.tif 000003
【図２】
0003136023.tif 000004
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
吉相印鑑の定義では、印の本体に目印をつけたり、シールを貼ったり装飾を施すのは凶相となる。しかしながら、印影が複雑なため、押印時に上下がわかりにくいという難点を解決するため、印面に着眼した。書体の一部をなし輪郭に接する部分の先端に、三角形状の突起を形成することで、使用者の目印にする。三角形状の突起は除厄を表わす両刃の剣の先端をイメージしている。また、三角形状の突起部分は、手彫りで加工するため、安易な印影からの偽造の防止にもつながる。三角形状の突起部分は同じ姓名でも、各々で接着する位置をかえていくことで、区別することができる。印鑑や印面に、直接加工を加えるのではなく、書体の流れの一部に、三角形状の突起を形成することで、印影の印象を妨げることなく、使用者の押印時の目印と、印影からの偽造の防止を実現できることを特徴とした印影の印鑑。
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
吉相印鑑の定義に基づいて、印面の篆書体の輪郭に接する一部の文字の先端に、総手彫りで、刀の波紋状の面取り加工を施した三角形状の突起を形成することで、同じ曲線を作ることが不可能なため、（１）印影の印象を妨げることなく安易な印影からの偽造を防止することができ、（２）使用者が押印時に上下の確認のための目印にすることができる、偽造防止強化接点入り吉相印鑑。
(57)【要約】      （修正有）【課題】蓋を簡単に結束する器具を提供する。【解決手段】１本の紐を二つに折、紐のそれぞれの端をスペーサーの穴に通し、紐が適度な間隔を持つようにし折った側に設けた紐通しの輪の中に紐の端しを通して蓋の結束をできるようにする。【選択図】図１
0003136025.tif 000002
【実用新案登録請求の範囲】
【請求項１】
１本の紐を二つに折、紐のそれぞれの端をスペーサーの穴を通し、紐が適度な間隔を持つようにし折った側に設けた紐通しの輪の中に紐の端しを通した蓋の結束具
【考案の詳細な説明】
【技術分野】
【０００１】鍋の蓋や皿等をきれいにコンパクトに収納するための結束具に関するものである。
【背景技術】
【０００２】従来鍋の蓋は大きさも異なり、しかも上面につまみが有り積み重ねる事が出来ず、収納する時乱雑になったりして困っていた。
【考案の開示】
【考案が解決しようとする課題】
【０００３】解決しようとする課題は、蓋等を簡単にきれいにコンパクトに収納する事ができるような器具を提供することである。
【課題を解決するための手段】
【０００４】その方法を図を示しながら説明すると、図１に示すように紐１を二つ折りにし、それぞれの端を３のスペーサー穴４に通し、折った側に設けた紐通し７に紐１のもう一方の端を通す。
【考案の効果】本考案によれば大小色々な形をした蓋がコンパクトに結束することが出来便利である。また紐をフックに引っ掛けると何個でも蓋をぶら下げるる事が出来、収納スペースが少なくてすむ。
【考案を実施するための最良の形態】
【０００５】図１のように紐１を折りスペーサー３の穴４に紐１をそれぞれ通し、さらに折った側に出来た紐通し７に通す。通した紐１を止め具２で長さを調節できるようにする。
【実施例】
【０００６】考案の実施の形態例について説明すると、図１は紐１を折り返し２本の端をスペーサー３の穴にそれぞれ通す。その紐を７の紐通しに通して２の止め具で長さを調節できるようにした物である。【０００７】この紐通し７を止め具２より小さくしておくと紐１が紐通し７から抜ける事が無い。【０００８】使用する方法を図２で説明すると、紐１を上下に分け、出来た隙間に蓋５を入れ６のつまみが２本の紐の中に来るようにする。スペーサーをなるべく蓋の端になるようにして２の止め具と紐１を引くと、全体の紐がしまり蓋５が固定される。この状態で止め具２で紐１が緩まないようにする。【０００９】スペーサー３から出た紐は少し離してあるので蓋５の円周側が挟み付けられることにより、十文字に縛らなくとも固定される。【００１０】またスペーサー３を鍋５の端の方にしておくと穴４の幅より紐が広がる事が少なくなり、２本の紐が広がって蓋５が抜け落ちる事が無くなる。【００１１】このようにして固定した蓋５はそのまま積み重ねても良いし、止め具２の下側でフック８にぶら下げると紐も緩まなくて、しかも何個でもぶら下げる事ができる。【００１２】図３のように２枚の蓋を向かい合わせにしてやると大変コンパクトにできる。【００１３】スペーサーを２個以上設けると、スペーサー同士を離して行くとつまみを入れる空間が自然に出来より使いやすくなる。
【産業上の利用可能性】丸い物を簡単に結束することができる。
【図面の簡単な説明】
【００１８】
【図１】結束具だけの図でありスペーサーを左右に広げた図である。
【図２】蓋を結束具で固定した図である。
【図３】図２を横から見た図ずであり２個の蓋を向かい合わせて結束してある。
【符号の説明】
１  紐    ２  止め具    ３  スペーサー    ４  穴    ５  蓋    ６  つまみ    ７  紐通し    ８  フック
【図１】
0003136025.tif 000003
【図２】
0003136025.tif 000004
【図３】
0003136025.tif 000005
【図４】
0003136025.tif 000006
【手続補正書】
【提出日】平成19年6月14日(2007.6.14)
【手続補正１】
【補正対象書類名】明細書
【補正対象項目名】００１８
【補正方法】変更
【補正の内容】
【００１８】
【図１】結束具だけの図でありスペーサーを左右に広げた図である。
【図２】蓋を結束具で固定した図である。
【図３】図２を横から見た図ずであり２個の蓋を向かい合わせて結束してある。
【図４】蓋をフックにぶら下げた図である。
(57)【要約】【課題】スリツパをはくときスリツパの向きを変えたり、体を反転してはかなければならない、不都合の解消【解決手段】スリツパの両方から、足を刺しこめられる構造にして、この課題を解決する。【選択図】図１
0003136030.tif 000002
【実用新案登録請求の範囲】
【請求項１】
スリツパの両側から足を刺し込む事ができる構造のスリツパ
【考案の詳細な説明】
【技術分野】
【０００１】本考案は  両側から足を刺し込む事ができるスリツパ関する。
【背景技術】
【０００２】従来のスリツパは片側からしか足を刺し込む事が出来なかつた。〔図１〕
【考案の開示】
【考案が解決しようとする課題】
【０００３】しかしこれでは一旦スリツパを脱いで用を足し次にスリツパをはこうとするときは１８０度体の向きを変えるか  スリツパを持つテスリツパの向きを１８０度変えなければはくことが出来ない不便がある。
【課題を解決するための手段】
【０００４】そこでスリツパの両側から足をさしこめるように左右対称にさし込み口を設け。
左右どちらからでもはくことが出来る構造にした。
【考案の効果】
【０００５】よつて、本考案のスリツパにより、体の向きを１８０度かえたり  スリツぱの向きを、１８０度持ち替えたりしなくても、スリツパをはくことができる、
従つてトイレの出いりや、病人や足腰の不自由な人のベツトからの乗り降り等には、便利で効果のあるスリツパである。
【考案を実施するための最良の形態】
【０００６】      本考案に関するスリツパは図１に示すように、１のベースと２のカバーから構成されるもので、このスリツパは両側から足をさしこめる状態にしなければならないので、カバーの中央部だけで刺しこんだ足とスリツパとの接触をしなければならないカバーの裾部を出来るだけ長めにしてカバーと足との接触面積を増加して、履き心地の良い状態に製作する。
【図面の簡単な説明】
【０００７】
【図１】本考案に関するスリツパの側面からみた立体図である。
【符号の説明】
１  スリツパのベース
２  カバー部
３  カバーの裾部
【図１】
0003136030.tif 000003
【手続補正書】
【提出日】平成19年7月9日(2007.7.9)
【手続補正１】
【補正対象書類名】実用新案登録請求の範囲
【補正対象項目名】全文
【補正方法】変更
【補正の内容】
【実用新案登録請求の範囲】
【請求項１】
スリツパに左右どちらからでも足を刺し込む事ができる２箇所の開口部を設け。放置されたスリツパの向きを変えたり。体を反転したりしなくても簡単に履く事ができる構造のスリツパ。
(57)【要約】      （修正有）【課題】ペット用ブラシで完全に捕集できない抜け毛、ごみ等を飛散させないで家庭用クリーナーを利用して環境をきれいにする機能をもたせたペット用ブラシの提供。【解決手段】ピン１１をつけた、捕集部１２、捕集空間部とクリーナーへの接続パイプ部１４からなるペット用ブラシであって接続パイプ部に各種クリーナーを接続できるペット用ブラシである。【選択図】図１
0003136026.tif 000002
【実用新案登録請求の範囲】
【請求項１】
片側開口のパイプ状の先端に多数のピンを有したプラスチック製のブラシで、側面にクリーナーに接続される円形パイプの吸い込み口のあるペット用のブラシである。
【請求項２】
前記のブラシはペットをブラッシングした際に抜け毛、ダニ、ノミ、ほこり、そしてごみ等を廻りに飛散させないようにこれらをクリーナーに接続、吸引し捕集するペット用ブラシである。
【考案の詳細な説明】
【技術分野】
【０００１】  本考案はペットの抜け毛、ダニ、ノミ、ほこり、そしてごみ等を楽に除去しペットと人間との共生をより快適に充実した生活となる家庭用クリーナーを利用したペット用ブラシに関する。
【背景技術】
【０００２】  従来のペット用ブラシは木、プラスチックの板に取っ手をつけ  その板に金属のピンを立てたブラシでブラッシングし  抜け毛、ごみ等を除去するものである。【０００３】  従来のペット用ブラシはブラッシングで抜け毛、ごみ等を捕集あるいは着生してるダニ、ノミを捕集しようとすると抜け毛、ごみ等の捕集は不十分で飛散し、ダニは除去できなくノミは逃げてしまい十分な機能を有していない。【０００４】  なお本考案に関する公知技術として特許文献１を挙げることができる。【０００５】
【特許文献１】  特許公開平１０−９４４３０
【考案の開示】
【考案が解決しようとする課題】
【０００６】  上述のように、従来のブラシではペットとの生活で快適な環境での共生が出来るとは言い難く、ペットを愛する人としては不満足である。【０００７】  そこでブラシによる捕集出来ない抜け毛、ごみ等を飛散させないで快適な環境を作り、ペットとの共生をいかに維持するかである。【０００８】  本考案はこれらの問題を如何するかを目的とし、安価、容易で安全なる快適な環境を維持するブラシについて開示するものである。
【課題を解決するための手段】
【０００９】  これらの目的を解決するために家庭用のクリーナーの先端にセットしてブラッシングするペット用特殊ブラシはピンを立てたブラシ部に捕集する空間部とクリーナー部に接続するパイプ部からなることを特徴とする。
【考案の効果】
【００１０】  以上のように本考案の試作品の特殊ブラシをクリーナーに接続し、体重約３０キログラムのゴールデンレトリバー犬を３日ごとにブラッシングすると約５グラムの両手一杯の抜け毛が約５分間で捕集でき  ほこり、ごみも同時にクリーナーに捕集され、犬もきれいになり、環境もきれいに維持された。
【考案を実施するための最良の形態】
【００１１】  以下、本考案の内容を図面にて詳細に説明する。
【実施例１】
【００１２】  図１〜図６は本考案の実施形態に係り、図１は捕集部とクリーナー部への接続パイプ部、からなる左側面図、図２はピンと捕集部の背面図、図３はピンと捕集部分の正面図、図４は右側面図、図５はブラシと接続パイプ部の平面図、図６は裏面図である。【００１３】  ブラシに相当するピンの部分は短くてはブラッシングによる抜け毛を捕集してクリーナーに吸引するには不適合で  クリーナーの吸引で空気の流れが阻害されない適切な長さがよい。【００１４】  そのピンの長さは１５〜４０ミリメートルが適切な長さで、クリーナーによる吸引力の過剰な流れを緩和してくれて犬が気持ちよく、安心してブラッシングを要求してくる。【００１５】  ピンの太さは２〜４ミリメートルでペットに不快感を与えない程度の柔軟性が必要である。【００１６】  ピン同士の間隔は狭いと補足した抜け毛がクリーナーによる吸引で捕集が満足にいかずピンに抜け毛が絡みつき残る状態となる。間隔が広いと抜け毛の補足に時間がかかる結果となる、ピンの間隔は５〜１５ミリメートルが適切である。
【産業上の利用の可能性】
【００１７】  本考案はペット用の有用なグッズとして製造、販売する分野で利用することが出来る。
【図面の簡単な説明】
【００１８】
【図１】  本考案の左側面図である。
【図２】  本考案の背面図である。
【図３】  本考案の正面図である。
【図４】  本考案の右側面図である。
【図５】  本考案の平面図である。
【図６】  本考案の裏面図である。
【符号の説明】
【００１９】１１    ピン
１２    捕集部
１３    捕集空間部
１４    クリーナーへの接続パイプ
【図１】
0003136026.tif 000003
【図２】
0003136026.tif 000004
【図３】
0003136026.tif 000005
【図４】
0003136026.tif 000006
【図５】
0003136026.tif 000007
【図６】
0003136026.tif 000008
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
片側開口のパイプ状の先端に多数のピンを有したプラスチック製のブラシで、側面にクリーナーに接続される円形パイプの吸い込み口のあるペット用のブラシ。
(57)【要約】      （修正有）【課題】ダイエットベルトの改良。【解決手段】１は繊維でつくられたダイエットベルトの外側部分。２は外側ケースの内部にゴムでつくられた伸縮可能なチューブ部分。３はチューブの表面に空気もしくは温水等を入れるための注入口部分。４は外側ケースの両端に設けられた面ファスナーによる接合手段部分である。【選択図】図１
0003136021.tif 000002
【実用新案登録請求の範囲】
【請求項１】
１、繊維、革または軟化合成樹脂材料等でつくられた外側ケースと
２、外側ケースの内部にゴム等でつくられた伸縮可能なチューブと
３、チューブの表面に空気もしくは温水等を入れるための注入口と
４、外側ケースの両端に設けられたマジックテープ等による接合手段
以上の各構成からなるダイエットベルト。
【考案の詳細な説明】
【考案の詳細な説明】
【技術分野】
【０００１】  本考案は，肥満の子供や肥満を気にする女性等の悩みを解消するために、テレビを見たりしているくつろぎの時間等に手軽に活用でき効果があると考えられる、いわゆるダイエット器具の改良である。
ベルトの内部のチューブに空気や温水等を入れることにより、通常のベルト以上に腰部への圧力が高まったり腰部が温まったりして、汗をかきやすくなる。
【背景技術】
【０００２】  従来のダイエット用のベルトは内部に何も供えていない簡単なベルトである。
【考案が解決しようとする課題】
【０００３】  以上のように，従来の技術ではいろいろな問題を抱えている。そこで本考案において，解決しようとする課題は次のようなものである。
▲１▼  身体に圧力のかからないベルトではダイエット効果がうすい。
▲２▼  健康器具は場所をとる。
▲３▼  テレビを見ながらのように、くつろいでいる時間等に使用できない。
▲４▼  健康器具は複雑で高価である。
▲５▼  軽い運動に適さない。
【課題を解決するための手段】
【０００４】  本考案は，この課題を解決するという目標を達成するために次のような手段を講じる。
▲１▼  身体に圧力を加えることができるようにするために、ベルトの内部に空気や温水等を入れることのできるゴム製のチューブを供える。
▲２▼  場所をとらない健康器具として、テレビを見ながらのようにくつろいだときにも手軽に使用できるように、身体の腰部に巻くだけのベルトとする。
▲３▼  年齢・性別・体型に応じて使用方法を手軽に変更できるように、チューブ内部の圧力等を変えることができる。
【考案を実施するための最良の形態】
【０００５】  本考案のもっとも好ましい実施の形態を添付図の図１に基づいて説明する。
図１において，１は繊維等でつくられたダイエットベルトの外側部分である。
２は外側ケースの内部にゴム等でつくられた伸縮可能なチューブ部分である。
３はチューブの表面に空気もしくは温水等を入れるための注入口部分である。
４は外側ケースの両端に設けられたマジックテープ等による接合手段部分である。
【考案の効果】
【０００６】  本考案によるダイエットベルトを使用することによって，次のような効果がある。
▲１▼  身体の腰部に空気による圧力を加えることにより、身体の脂肪分等が減少する。
▲２▼  テレビを見ながらのようなくつろいだ時間等のどんなときにでも使用できる。
▲３▼  チューブ内部に温水を入れた場合は発汗作用が高まる。
▲４▼  年齢・性別・体型に応じてベルトの圧力を変えることができる。
▲５▼  場所を取らないのでどんな場所でも使用できる。
▲６▼  大掛かりな健康器具ではないので手軽にダイエット活動ができる。
【図面の簡単な説明】
【図１】  本考案によるダイエットベルト上から見たときの完成図である。
【符号の説明】
１…………繊維、革または軟化合成樹脂材料等でつくられた外側ケース
２…………外側ケースの内部にゴム等でつくられた伸縮可能なチューブ
３…………チューブの中に空気もしくは温水等を入れるための注入口
４…………外側ケースの両端に設けられたマジックテープ等による接合手段
【図１】
0003136021.tif 000003
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
１、繊維、革または軟化合成樹脂材料でつくられた外側ケースと
２、外側ケースの内部にゴムでつくられた伸縮可能なチューブと
３、チューブの表面に空気もしくは温水等を入れるための注入口と
４、外側ケースの両端に設けられた面ファスナーによる接合手段
以上の各構成からなるダイエットベルト。
【手続補正２】
【補正対象書類名】明細書
【補正対象項目名】０００５
【補正方法】変更
【補正の内容】
【０００５】  本考案のもっとも好ましい実施の形態を添付図の図１に基づいて説明する。
図１において，１は繊維でつくられたダイエットベルトの外側部分である。２は外側ケースの内部にゴムでつくられた伸縮可能なチューブ部分である。３はチューブの表面に空気もしくは温水等を入れるための注入口部分である。４は外側ケースの両端に設けられた面ファスナーによる接合手段部分である。
(57)【要約】      （修正有）【課題】ガムをかんだあとのガムが駅付近や道路などに捨てられ、踏みつけたりして多くの人が不愉快な思いをしている。だれも見ていなくても自分からきちんと銀紙に包み、ごみ箱に捨てるようにならないものかと思った。【解決手段】ガムが包んである銀紙又は紙に赤い鳥居を書き、余白にごみ箱に入れたくなるようなメッセージや楽しい話や花言葉・星占い・運勢などを書くこととした。赤い鳥居は神様のイメージがよぎり、自分だけは″バチ″は当りたくないという気持ちをおこさせる力があり、赤い鳥居の書いてある紙に包めばむやみに道路には捨てられなくなる。ごみ箱にきちんと入れれば必ず豊かな気持ちになれる。ストレス解消・精神安定の力を持つガムにもう一つ神様への祈りの心が生まれると考える。【選択図】図１
0003136024.tif 000002
【実用新案登録請求の範囲】
【請求項１】
ガム製品において、ガムが包んである銀紙、又は紙に、赤い鳥居を書き余白に、願いごとを託したくなるようなメッセージや花言葉、運勢、星うらないを書いたことを特長としたガム。包装紙。
【請求項２】
ガム製品においで外部の包装紙に赤い鳥居を書いたことを特長としたガム包装紙。
【考案の詳細な説明】
【技術分野】
【０００１】  ガムをかんだあとのガムが駅付近や町角や道路にいっぱい捨てられ、それを多くの人がふみつけ、不愉快な思いをしている何とか自分からきちんとガムのつつんである銀紙につつんでもえるごみ箱に捨てるようにならないものかと考へた。
【背景技術】
【０００２】  ガムの包装紙に小さな字でごみ箱に入れるようにと書いてあるのもあるが、効果があるとは思われない。
【考案の開示】
【考案が解決しようとする課題】
【０００３】  人が見ていなくても自分からきちんとつつんで、ごみ箱に入れたくなるようにして解決したいと思った。世界中の大人も子供もかむガムです。ストレス解消、心の安定につながるガムの力でもう一つ神様に祈る心が同時に得られれば幸と考へる。
【課題を解決するための手段】
【０００４】  ガムがつつんである紙を神様のおみくじのように考へ赤い鳥居を書き余白に色々なお願いごとをしたらかなえられるような気持にさせるメッセージや心あたたまる言葉を書いたり運勢や花言葉や星うらないなど、ほっとするやさしい言葉を目にすることで口から直接道路にはき出すことはへらされると考へる。
【考案の効果】
【０００５】  つつみ紙に赤い鳥居が書いてあることと、色々なほっとする文字を目にすることで何とかいてあるか読もうとする心が出来ればガムを出してすぐつつみ紙を捨てることはさけられると考へる。
【考案を実施するための最良の形態】
【０００６】ガムの外包装紙図２参照に赤い鳥居を書いたことで中の銀紙に色々なメッセージが書いてあることを知らせる。おみくじを読みたい心理を考へ色々なメッセージを銀紙に書くことで楽しくほっとする一時をプレセント出来る。いいことをした後は気分がいいが、悪いことをした後は気分がわるい。ましてや赤い鳥居は神様のイメージがよぎり、自分だけは″バチ″は当りたくないという気持ちをおこさせる。かんだガムを赤い鳥居につつみ自分の願いごとを念じごみ箱に入れれば豊かな気持になれる。【０００７】外国人も多くガムをかむので銀紙には外国語のも入れておく。
【実施例】
【０００８】以下添付図面に従って実施例を説明する。図１はガムをつつむ銀紙。この銀紙に赤い鳥居を書き余白に図１のようにごみ箱におさめるメッセージや勇気の出るメッセージや心なごむ花言葉や星うらない、血液うらないなど書いておけば、ガムを口に入れた後この銀紙を捨てることは少なくなくなる。ストレス解消・精神安定の力を持つガムにもう一つ神様への祈りの心が生まれると考へる。
【図面の簡単な説明】
【図１】ガムが包んである銀紙に赤い鳥居と色々なメッセージを書いたもの。
【図２】ガムの外包装紙にも赤い鳥居を書く
【符号の説明】
【００１０】  １  赤い鳥居
２  色々なメッセージ
３  ガムをつつむ銀紙
４  お幸せにというメッセージ
５  ガムの全体図
【図１】
0003136024.tif 000003
【図２】
0003136024.tif 000004
【手続補正書】
【提出日】平成19年5月15日(2007.5.15)
【手続補正１】
【補正対象書類名】実用新案登録請求の範囲
【補正対象項目名】全文
【補正方法】変更
【補正の内容】
【実用新案登録請求の範囲】
【請求項１】
ガム製品においてかんだ後のガムを口からぽい捨てさせないための方法としてガムの包装紙に神様の鳥居を絵書いたことを特長としたガム包装紙。
【請求項２】
ガムが包んである中紙の包装紙の銀紙又は紙にも鳥居を絵書きこの紙にかんだ後のガムを包んで願い事を念じてごみ箱に捨てると良い運勢になると書き余白に花言葉や楽しい一言を書くことを特長としたガム包装紙。
(57)【要約】【課題】パチンコ遊技機で遊技中に、大当りが発生する可能性の確率をパーセント表示する。【解決手段】パチンコ遊技機から、大当り抽選をする度に該電気信号を受けて計数する事で抽選回数を得て、演算機能部に該パチンコ遊技機の確率特性値を設定して置き、該抽選回数を該確率特性値の分母で除算をして１００分率を演算して、表示機能部を駆動して、大当りが発生する可能性の確率をパーセント表示する。【選択図】図１
0003136409.tif 000002
【実用新案登録請求の範囲】
【請求項１】
パチンコ遊技機の遊技情報を開示するもので、大当りが発生する確率を表示する手段において、該遊技機からの電気信号を受けて演算をする演算機能部と、演算結果を表示する表示機能部を備え、該遊技機の遊技情報として、大当りが発生する可能性の確率をパーセント表示する事を特徴とする確率表示器。
【考案の詳細な説明】
【技術分野】
【０００１】
本考案は、パチンコ遊技機の遊技情報を開示するもので、大当りが発生する確率をパーセント表示する確率表示器に関するものである。
【背景技術】
【０００２】
パチンコ遊技機の遊技情報を開示するもので、大当りが発生する確率を表示することは、遊技者にとっては非常に興味があり有用な事である。
【０００３】
パチンコ遊技機の大当りが発生する確率は、機種ごとに特有の値が決められている確率の公表値があるが、遊技機自体には遊技中の経過時での確率を表示するものは無い。
【０００４】
現状では、パチンコ遊技機外部に情報開示用として設備するものでも、大当りが発生する確率をパーセント表示するものは無く、単純に前回の大当りが終了してから、遊技者が遊技をして入賞した事により大当りの抽選を試みた回数を表示して、大当りするまでの確率を感じさせるものが有る。
【０００５】
しかし、該回数表示は、確率の該公表値の分母数と大小を比較する事が出来るだけで、１００分率で感じるには何らかの方法で計算をしなくてはならない欠点がある。
また、確率の該公表値は、機種ごとに様々で数十から数百分の１と広範囲であるので、計算をするにしても簡単ではない。
【考案の開示】
【考案が解決しようとする課題】
【０００６】
解決しようとする問題点は、パチンコ遊技機の各種遊技中情報を開示するなかで、大当りが発生する確率をパーセント表示することが、主題であり、それには確率の該公表値が、機種ごとに様々で数十から数百分の１と広範囲であることが問題である。
【課題を解決するための手段】
【０００７】
本考案は、パチンコ遊技機の遊技中の大当りが発生する確率を解りやすく表示するために、演算機能と表示機能を備えて、機種ごとに公表された確率の特性値を演算機能に設定をして置き、パチンコ遊技機の遊技中の情報から演算に必要な信号を得る事により演算をして、表示機能でパーセント表示をさせる事を最も主要な特徴とする。
【考案の効果】
【０００８】
本考案の確率表示器は、パチンコ遊技機の遊技中の大当りが発生する確率を、パーセント値で表示されるために、遊技者や周囲の人が表示を見てそのままで理解し可能性を直感できるという利点があり、客寄せ効果もある。
【考案を実施するための最良の形態】
【０００９】
パチンコ遊技機の遊技中の大当りが発生する確率を、パーセント値で表示するという目的を、演算機能と表示駆動回路を備えたワンチップ集積回路に、比較的に大型のデジタル表示機能を組合わせる事で、遊技者や周囲からも見れる効果的なものに実現できた。
【実施例１】
【００１０】
図１は、本考案機器の１実施例の系統図である。
【００１１】
パチンコ遊技機１からの遊技情報の電気信号２を、演算機能部３が受けて演算をして、表示器駆動信号４を出し、表示機能部５に接続してデジタル表示をする。本考案の主体は電気信号の処理の基本方式にあるので、電子系や、機構系の詳細説明は省略する。
【００１２】
一般に、大当りの確率は、初期状態か最後の大当りが終了してから、遊技者が遊技をして入賞した事により大当りの抽選を試みた抽選回数を、該パチンコ遊技機１の確率の公表値の分母数で、除算をして１００倍して１００分率にすればパーセント値が求めれる。
【００１３】
従って、演算に必要な信号として、パチンコ遊技機１からの遊技情報の電気信号２の一つは、遊技者が遊技をして入賞した事により大当りの抽選をする度に、パルス電気信号を受けるもので、該パルス電気信号を演算機能部３の補助機能により計数をして抽選回数とする。
【００１４】
他の一つの電気信号は、１回の大当りが開始したときから終了するまでの大当中連続レベル信号である。この大当り信号が終了した時に前記の抽選回数をクリアして零にする目的に供される。
また、本考案には関係ないが、大当り中の特別表示などの動作信号として利用される。
【００１５】
該パチンコ遊技機１の確率の公表値の分母数は、演算機能部３の補助機能として数値を手動で設定できる所謂デジタルスイッチを備えて、設定をすることで出来る。
【００１６】
表示機能部５は、７素子の数字表示器や、その他各種の表示素子を組込む事で可能である。
本実施例では表示桁数を３桁として、小数点以下は無しとした。
【００１７】
従って表示値は、初期状態は”０”であり、抽選回数が加算される毎に、表示数は上昇し、抽選回数が該パチンコ遊技機１の確率の公表値の分母数、即ちデジタルスイッチで設定した数値に達すると”１００”と表示され、更に大当りが発生せずに抽選回数が増加すると１００を超えた表示をする。
実例では初期状態”０”表示は違和感があるので表示を”−”に変換している。その他１００％を超えると表示が点滅するなどの表示効果を向上させる目的のものできる。
【産業上の利用可能性】
【００１８】
演算機能部３の補助機能を追加して、各種の設定を出来る様にして、遊技者が不正をしたり、該パチンコ遊技機１が故障をした可能性がある事を検出して、警報などを出す用途にも適用できる。
更に、補助機能を追加して、遊技者が打込みをした回数を計数出来るようにして、抽選回数を除算すれば、打込みに対する入賞率を表示する用途にも適用できる。
【図面の簡単な説明】
【００１９】
【図１】確率表示器の実施方法を示した説明図である。
【符号の説明】
【００２０】
１    パチンコ遊技機
２    遊技情報の電気信号
３    演算機能部
４    表示器駆動信号
５    表示機能部
【図１】
0003136409.tif 000003
(57)【要約】【課題】反射性、透過性という特性を有効に利用し高度なデザイン性を有することを特徴とする鏡、ガラス工芸品、装飾物、置物、建築装飾物、案内表示物、広告表示物など表示体を提供する。【解決手段】図案化した反射面部分１と透過面部分２を有する光透過性素材３の反射面部分裏面に色彩４を施したものを複数作成し、それらを積層し接着一体化したことによりキラキラ輝き、かつ透明感もある高いデザイン性を有する光透過性素材を積層した表示体となる。【選択図】図１
0003136430.tif 000002
【実用新案登録請求の範囲】
【請求項１】
光透過性素材を積層した表示体であって、該各光透過性素材間の積層面となる面には反射面部分と透過面部分の両方、またはどちらかを有し、反射面部分と透過面部分の両方、またはどちらかの裏面に色彩を施したことを特徴する光透過性素材を積層した表示体。
【考案の詳細な説明】
【技術分野】
【０００１】
この考案は、鏡、ガラス工芸品、装飾物、置物、建築装飾物、案内表示物、広告表示物など表示体の形状に関する。
【背景技術】
【０００２】
従来、反射面を図案化した鏡は稀で、あっても一枚もの単体として完成品となっており、複数層重ね高度なデザイン性を有するものは鏡としてはもとより工芸品、装飾物、置物など表示体として見当たらない。
【考案の開示】
【考案が解決しようとする課題】
【０００３】
反射性、透過性という特性を高度かつ有効に利用した工芸品、装飾物、置物など表示体はなかった。そこで、この考案は反射性、透過性という特性を有効に利用し高度なデザイン性を有することを特徴とする鏡、ガラス工芸品、装飾物、置物、建築装飾物、案内表示物、広告表示物など表示体を提供することを課題とする。
【課題を解決するための手段】
【０００４】
以上の課題を解決するために、当考案は、光透過性素材３を積層した表示体とし、該各光透過性素材間の積層面となる面には反射面部分１と透過面部分２の両方、またはどちらかを有し、反射面部分と透過面部分の両方、またはどちらかの裏面に色彩４を施した光透過性素材を積層した表示体とする。
【考案の効果】
【０００５】
当考案は、反射面部分１を図案化デザインし、反射面部分１の裏面に色彩４を施しそれを積層し接着一体化することで光透過性素材の透明感のみならず反射面による光の反射、積層による乱反射でキラキラ感を有する。ｎ層目の反射面裏面の色彩はｎ＋１層目の反射面によって反射７され、より視覚的効果に寄与する。また反射層５はガラスなどの光透過性素材３および紫外線硬化性透明接着剤などの接着剤６で密閉保護されるので腐食や損傷から守られ高い耐久性が得られる。
【考案を実施するための最良の形態】
【０００６】
この考案の一実施形態を、図１に示す。
光透過性素材３に図案化デザインした反射面部分１と透過面部分２を設け、その裏面に色彩４を施したものを複数層重ね接着一体化する。
この例では光透過性素材１に平面ガラスを用いている。それら３枚それぞれに六角星型の反射面部分１を設け、反射面部分の裏面に色彩４の赤色を施し、そのまわりを透過面部分２とした。反射面部分（図案）の面積は下層へいくほど大きくしている。これら平面ガラスを３層重ね、その下の４層目に全面反射層を有する平面ガラス、５層目に反射層を有しない平面ガラスを重ねて接着一体化したものを六角形に整形し側面を研磨した。
【０００７】
「実施形態の効果」
この実施形態によれば、ガラスの透明感のみならず各層それぞれの反射面部分による光の反射、ガラスによる乱反射でキラキラ輝き溢れる。さらに１層目、２層目、３層目の反射面部分の裏面に施された赤色がそれぞれ２層目、３層目、４層目の反射面部分に映りこみ７、より美しい視覚的効果が生まれる。また反射面部分１や色彩４を含む反射層５は紫外線硬化性透明接着剤６とガラスによって密閉されているため腐食や損傷から守られ高い耐久性が得られる。
【０００８】
「他の実施形態」
図１の実施形態では、六角星型に図案化した反射面部分裏面に色彩を施した平面ガラス３層と全面反射面部分の平面ガラス、透明平面ガラスの計５層を接着一体化し六角形に整形研磨したものであるが、他の実施形態では、以下ａ〜ｍの各事項について任意のものでも良く、それぞれを組合わせても良い。
ａ  光透過性素材の種類（例  ガラス、アクリル樹脂、クリスタル、水晶、ダイヤなど）
ｂ  光透過性素材の面積や厚み、積層数
ｃ  光透過性素材の色（例  透明、光透過性青、光透過性緑など）
ｄ  光透過性素材の形状（例  多角形型、丸型、任意デザイン、平面、曲面など）
ｅ  反射面部分の図案形状（例  任意の模様、図案、文字、記号、反射面無しなど）
ｆ  反射面部分の素材（例  銀、アルミ、金、プラチナなど）
ｇ  保護膜の有無や素材
ｈ  反射面部分・透過面部分裏面に施す色彩の範囲（例  反射面、任意部分面、無しなど）
ｉ  反射面部分・透過面部分裏面に施す色彩の素材（例  塗料、薄膜）
ｊ  反射面部分・透過面部分裏面に施す色彩の色
ｋ  反射面部分、保護膜、反射面部分・透過面部分裏面に施す色彩の形成方法（例  マスキング、エッチング、サンドブラスト、自動制御装置、メッキ、蒸着、薄膜圧着など）
ｌ  接着方法（例  紫外線硬化性透明接着剤、透明接着剤、高温高圧による圧着など）
ｍ  制作の手順 
図４は曲線にカットした平面板ガラスに反射面部分を２つの曲線図案にして設け、その裏面に色彩を施し７層で接着一体化した例である。
図５は一実施形態のモデルを壁際に設置し、反射面部分の図案を壁に反射させオブジェとして活用した例である。
図６はアクリル板を３枚積層したもので、１層目に反射面部分は設けず、青色の色彩で文字を設け、その文字の裏面に赤色の色彩を施し、２層目はすべて反射面部分、３層目は反射面部分も色彩もないアクリル板を使用し表札、ネームプレート、案内板とした例である。
【図面の簡単な説明】
【０００９】
【図１】この考案の一実施形態を示す斜視図である。
【図２】制作過程を示す側面からのモデル図である。
【図３】構成する５層を示す側面からのモデル図である。
【図４】他の実施形態としての一例を示す斜視図である。
【図５】他の実施形態としての一例を示す斜視図である。
【図６】他の実施形態としての一例を示す斜視図である。
【符号の説明】
【００１０】
１  反射面部分
２  透過面部分
３  光透過性素材
４  色彩
５  反射層
６  接着剤
７  ｎ層目の反射面部分裏面の色彩がｎ＋１層目の反射面部分で反射する様子
【図１】
0003136430.tif 000003
【図２】
0003136430.tif 000004
【図３】
0003136430.tif 000005
【図４】
0003136430.tif 000006
【図５】
0003136430.tif 000007
【図６】
0003136430.tif 000008